(57)【要約】【課題】  疾走動作を直接的に改善し、疾走速度を向上させるトレーニング用の履物を提供することを目的とする。【解決手段】  足を裏面から支える底部と、爪先から甲の方向に角度を持つ甲及び側面支持部を有した上部から構成される履物において、上部が踵を覆わない構造としたことを特徴とする。  甲及び側面支持部の頂上の真下近傍に履物の重心を調整するための重心位置調整部を、底部に設けたことを特徴とする。  重心位置調整部は、重心位置調整板と重心位置調整板固定部から構成されることを特徴とする。【選択図】図２
2015123365.tif 000002
【特許請求の範囲】
【請求項１】
足を裏面から支える底部と、爪先から甲の方向に傾斜した甲及び側面支持部を有した上部から構成される履物において、上部が踵を覆わない構造としたことを特徴とする履物。
【請求項２】
甲及び側面支持部の頂上の真下近傍に履物の重心を調整するための重心位置調整部を、底部に設けたことを特徴とする、請求項１記載の履物。
【請求項３】
重心位置調整部は、重心位置調整板と重心位置調整板固定部から構成されることを特徴とする、請求項２記載の履物。
【発明の詳細な説明】
【技術分野】
【０００１】  本発明は、履いて歩行や疾走を行うことにより、疾走動作が改善され、疾走速度が高まる履物に関する。ここでいう履物とは、例えば靴、サンダル、スリッパ等があげられる。
【背景技術】
【０００２】  従来、ストライドの増加、下肢運動制御の鍛錬、下腿筋力の強化などを目的とした履物として以下のようなものがある。
まず靴底を少しでも高くし歩幅を大きくしたものがある（特許文献１参照）。また、下肢運動制御の練習となるように下駄型ローラーペダル運動装置を設けた履物（特許文献２）や、靴底の構造によって下腿の筋力強化を目的とした履物もある（特許文献３）。
【先行技術文献】
【特許文献】
【０００３】
【特許文献１】  特開平１１−１６４７０５
【特許文献２】  特開２００９−２７３８４４
【特許文献３】  特開平８−８９３０６
【発明の概要】
【発明が解決しようとする課題】
【０００４】  前記の履物は疾走動作を直接的に改善するものではなく、疾走動作遊脚期の股関節伸展から屈曲への適切な切り替えのタイミングのトレーニングや、疾走動作で股関節屈曲の角加速度が高められない。
よって、疾走動作遊脚期の股関節伸展から屈曲への適切な切り替えのタイミングをトレーニングできる履物を提供することが課題である。
かつ、疾走動作で股関節屈曲の角加速度を高めることができる履物を提供することが課題である。
本発明は、従来の履物とは異なり、疾走動作を直接的に改善し、疾走速度を向上させるトレーニング用の履物を提供することを目的とする。
【課題を解決するための手段】
【０００５】  前記課題を解決するために、本発明は以下の手段を有する。
１つ目として、足を裏面から支える底部と、爪先から甲の方向に傾斜した甲及び側面支持部を有した上部から構成される履物において、上部が踵を覆わない構造としたことを特徴とする。
２つ目として、甲及び側面支持部の頂上の真下近傍に履物の重心を調整するための重心位置調整部を、底部に設けたことを特徴とする。
３つ目として、重心位置調整部は、重心位置調整板と重心位置調整板固定部から構成されることを特徴とする。
【発明の効果】
【０００６】  本発明の請求項１の構成とすることにより、疾走動作遊脚期の股関節伸展から屈曲への適切な切り替えタイミングをトレーニングできる。
本発明の請求項２及び３の構成とすることにより、請求項１に加えて、疾走動作で股関節屈曲の角加速度を高めることができる。
そのため、疾走速度を向上させることができる。
【図面の簡単な説明】
【０００７】
【図１】本発明の請求項１に係る履物の側面図である。
【図２】本発明の請求項２及び３に係る履物の側面からみた断面図である。
【図３】本発明の請求項２及び３に係る履物の重心位置調整板の平面図である。
【図４】本発明の請求項２及び３に係る履物の重心位置調整板固定部の平面図である。
【図５】本発明の請求項２及び３に係る履物の重心位置調整板固定部へ重心位置調整板を固定した平面図である。
【発明を実施するための形態】
【０００８】  以下、本発明の実施の形態を図１〜図５に基づいて説明する。
ただし以下の記載は、特許請求の範囲を限定するものではない。
【０００９】  請求項１に係る発明の履物を図１により説明する。
本発明の請求項１に係る発明の履物は、上部１と足を裏面から支える底部２から構成される。上部１は、爪先から甲の方向に傾斜し甲及び足の両側面を覆うことで足を支える甲及び側面支持部１Ａと、甲及び側面支持部１Ａの傾斜の最高点である頂上１Ｂ、踵部１Ｃから構成される。尚、上部１、甲及び側面支持部１Ａ、頂上１Ｂ、踵部１Ｃ及び底部２は、本発明の請求項１に係る発明の履物を構成するだけでなく、従来の履物も構成している。
本発明の請求項１に係る履物は、上部１が踵を覆わない構造としている。ここでいう踵を覆わないとは、踵を完全に覆わない（踵が完全に露出した）状態から多くても約半分以下しか覆わない（踵の約半分以上が露出した）状態までを含む。踵のごく一部が覆われ殆どが露出した状態を示したものが図１である。
図１は靴のような、踵部１Ｃが甲及び側面支持部１Ｂの一部（連結）である履物の場合を示している。靴以外の履物、例えばサンダルは、踵部１Ｃは甲及び側面支持部１Ｂの一部（連結）でなく、甲及び側面支持部１Ｂと分離している。図示していないが、このような履物で踵部１Ｃを前記のように踵を覆わない構造としてもよい。
踵を完全に覆わない又は多くても約半分しか覆わないことにより、履物が有している踵の固定性、安定性を意図的に低下させることができる。
よって、疾走動作遊脚期の股関節伸展から屈曲への適切な切り替えタイミングをトレーニングできる。
【００１０】  請求項２及び３に係る発明の履物を図２〜図５により説明する。
本発明の請求項２に係る履物は図２に示すように、請求項１に係る履物において、頂上１Ｂの真下近傍に履物の重心を調整するための重心位置調整部３を、底部２に設けている。重心位置調整部３を設ける位置は頂上１Ｂの真下でもよいし、真下に限定されず図２のように、頂上１Ｂの真下から踵部１Ｃ側までわたってもよい。重心位置調整部３は履物の重心を調整できるものであれば形状は特定されない。平板形状のものが好ましいが、これに限定されるものではない。材質は皮革、樹脂、金属等が考えられるが、これらに限定されるものではない。
本発明の請求項３に係る履物は図２〜図５に示すように、請求項２に係る履物において、重心位置調整部３が重心位置調整板３Ａと重心位置調整板固定部３Ｂから構成される。
重心位置調整板３Ａは履物の重心を調整するためのものであり、図２、３に示すように略長方形の平板形状が好ましいが、これに限定されるものではない。前後方向の長さ、幅、厚さの各寸法は履物の形状、使用者の足の形状、体重等を考慮して適宜決定される。材質は皮革、樹脂、金属等が考えられるが、これらに限定されるものではなく、こちらも履物の形状、使用者の足の形状、体重等を考慮して適宜決定される。尚、形状については後述する重心位置調整板固定部３Ｂへの固定を考慮して、図３に示すように踵部１Ｃ側に半円形の切欠き部を設けている。この切欠き部も重心位置調整板固定部３Ｂの形状を考慮して適宜決定される。
重心位置調整板固定部３Ｂは、重心位置調整板３Ａを確実に底部２に固定するためのものであり、図２、４に示すように円柱の突起形状が好ましいが、これに限定されるものではない。材質は皮革、樹脂、金属等が考えられるが、これらに限定されるものではなく、こちらも履物の形状、使用者の足の形状、体重等を考慮して適宜決定される。
重心位置調整板３Ａを重心位置調整板固定部３Ｂにより底部２に固定した状態を示したものが図２、５である。
これらによって、請求項１に係る発明の履物に加えて疾走動作で股関節屈曲の角加速度を高めることができる。
【００１１】  以上から、本発明に係る履物によれば、疾走動作遊脚期の股関節伸展から屈曲への適切な切り替えタイミングをトレーニングできることに加えて、疾走動作で股関節屈曲の角加速度を高めることができる。よって、疾走速度を向上させることができる。
【実施例】
【００１２】  本発明の請求項１、２及び３に係るすべての履物について、トレーニング効果の実験を行った。被験者は、週に３日程度の運動を行っている者を７名とした。被験者には、本発明の履物を履きトレーニングを行う発明群と、通常のシューズで同様のトレーニングを行うコントロール群（以下ＣＯＮ群）に分かれて比較を行った。
結果、２０ｍダッシュにおいて、発明群はトレーニング前と比較して、０．０７秒有意に記録が向上した（ｐ＜０．０５）。また、５ｍごとの区間別タイムで見ると、発明群はトレーニング前に比べてスタートから５ｍまでが０．０４秒有意に速くなった（ｐ＜０．０５）。ＣＯＮ群については全ての項目でトレーニング効果は認められなかった。
この結果は、本発明の履物を使用したトレーニングによって、単純計算をすると１００ｍ走では、０．３５秒記録の向上が見られ、多様なスポーツで必須のスタートから５ｍまでの効果が顕著であることを示した。【００１３】  本発明の請求項１、２及び３に係るすべての履物について、陸上競技の短距離種目を専門とし、週に５日程度の練習を行っている者１１名を被験者として、トレーニング効果の実験を行った。
結果は、５０ｍダッシュにおいて、トレーニング前と比較すると０．１０秒有意に速くなった（ｐ＜０．００１）。
これは、本発明の履物を使用したトレーニングが、疾走動作について鍛錬を行っている者に対しても有効であることを示している。
【符号の説明】
【００１４】１      上部
１Ａ    甲及び側面支持部
１Ｂ    頂上
１Ｃ    踵部
２      底部
３      重心位置調整部
３Ａ    重心位置調整板
３Ｂ    重心位置調整板固定部
【図１】
2015123365.tif 000003
【図２】
2015123365.tif 000004
【図３】
2015123365.tif 000005
【図４】
2015123365.tif 000006
【図５】
2015123365.tif 000007